【手続補正書】
【提出日】平成16年2月13日(2004.2.13)
【手続補正１】
【補正対象書類名】明細書
【補正対象項目名】全文
【補正方法】変更
【補正の内容】
【発明の名称】厨芥処理機
【特許請求の範囲】
【請求項１】厨芥を加熱する加熱手段と、前記加熱手段を制御する加熱制御手段と、厨芥を攪拌する撹拌手段と、前記攪拌手段を制御する攪拌制御手段と、厨芥を乾燥する乾燥ファンと、前記乾燥ファンの運転を制御する乾燥ファン制御手段と、本体内部を冷却する冷却ファンと、前記冷却ファンの運転を制御する冷却ファン制御手段と、通常運転と静音運転の厨芥処理モードを切換える切り換え手段を有し、前記切り換え手段から静音運転モードの情報が出力された場合、前記撹拌制御手段と前記乾燥ファン制御手段と前記冷却ファン制御手段の内、少なくとも１つの制御手段を通常運転モードによる制御より低レベルで制御を行うとともに、前記加熱制御手段により加熱手段の温度を通常運転モード時に比べ高温に制御する厨芥処理機。
【請求項２】厨芥を加熱する加熱手段と、前記加熱手段を制御する加熱制御手段と、厨芥を攪拌する撹拌手段と、前記攪拌手段を制御する攪拌制御手段と、厨芥を乾燥する乾燥ファンと、前記乾燥ファンの運転を制御する乾燥ファン制御手段と、本体内部を冷却する冷却ファンと、前記冷却ファンの運転を制御する冷却ファン制御手段と、通常運転と静音運転の厨芥処理モードを切換える切り換え手段と、前記切り換え手段からの入力により各制御手段の制御時間を決定する時間決定手段を有し、前記切り換え手段から静音運転モードの情報が出力された場合、前記撹拌制御手段と前記乾燥ファン制御手段と前記冷却ファン制御手段の内、少なくとも１つを通常運転モードにおける制御より低レベルで制御するとともに前記時間決定手段による制御時間を通常運転モードより長く設定する厨芥処理機。
【請求項３】時計機能を有する時計手段と、指定した処理モードでの動作の時間帯を設定する時間設定手段を有し、通常運転モードと静音運転モードとを時間帯により区分して切り換える請求項１または２記載の厨芥処理機。
【請求項４】光を検知する光検知手段を有し、光の有無により処理モードを切り換える請求項１または２記載の厨芥処理機。
【発明の詳細な説明】
【０００１】
【発明の属する技術分野】
本発明は、生ゴミ等の厨芥を処理するための厨芥処理機に関するものである。
【０００２】
【従来の技術】
従来の温風乾燥式厨芥処理機の概略構成断面図を図７に示す。
【０００３】
図７において、１は厨芥処理機本体であり、２は生ゴミの収納容器であり、３はヒータ等の加熱手段であり、４は収納容器２内の生ゴミを乾燥させる乾燥ファンであり、５は収納容器２内の生ゴミを撹拌するための撹拌手段であり、６は本体１内と、生ゴミから発生する水蒸気を冷却する冷却ファンであり、７は生ゴミから発生した水分をためる排水タンクである。
【０００４】
上記構成において、収納容器２の上部に設けた加熱手段３によって加熱された空気が、同じく収納容器２の上部に設けられた乾燥ファン４により、温風として収納容器内２に送られ、収納容器内２に設けられた撹拌手段５によって撹拌される生ゴミを乾燥させ、水蒸気となった水分を冷却ファン６にて冷却し、再び液体にして排水タンク７にためるようになっている。
【０００５】
撹拌手段５、乾燥ファン４、冷却ファン６の駆動はモーターにより行われており、生ゴミを乾燥処理する一連の動作の制御は、マイコン等の制御素子を用いて行われ、処理時間が最短となるように制御されている。
【０００６】
【発明が解決しようとする課題】
しかしながら、上記従来の構成においては、生ゴミを短時間で、効率よく乾燥させることを優先して撹拌手段等の各負荷の動作を制御するので、騒音が発生するという問題点を有していた。
【０００７】
本発明は、上記課題を解決しようとするもので、低騒音でも処理できる厨芥処理機を提供することを目的としている。
【０００８】
【課題を解決するための手段】
上記目的を達成するために、本発明は、騒音発生源である攪拌手段と、乾燥ファンと、冷却ファンの内少なくとも１つを通常運転モードの時より低レベルで制御するとともに加熱手段を高温に設定することにより、乾燥効率を低下させずに低騒音化を実現するものである。
【０００９】
【発明の実施の形態】
本発明の請求項１記載の発明によれば、厨芥を加熱する加熱手段と、前記加熱手段を制御する加熱制御手段と、厨芥を攪拌する撹拌手段と、前記攪拌手段を制御する攪拌制御手段と、厨芥を乾燥する乾燥ファンと、前記乾燥ファンの運転を制御する乾燥ファン制御手段と、本体内部を冷却する冷却ファンと、前記冷却ファンの運転を制御する冷却ファン制御手段と、通常運転と静音運転の厨芥処理モードを切換える切り換え手段を有し、前記切り換え手段から静音運転モードの情報が出力された場合、前記撹拌制御手段と前記乾燥ファン制御手段と前記冷却ファン制御手段の内、少なくとも１つの制御手段を通常運転モードによる制御より低レベルで制御を行うとともに、前記加熱制御手段により加熱手段の温度を通常運転モード時に比べ高温に制御する構成により、前記切り換え手段により低騒音での運転モードを選択すると、前記攪拌制御手段、前記乾燥ファン制御手段、前記冷却ファン制御手段は、前記攪拌手段、前記乾燥ファン、前記冷却ファンの各々の動作を少なくし、前記加熱手段による加熱温度を上げることにより、乾燥効率を大きく落とすことなく低騒音で運転することができる。
【００１０】
本発明の請求項２記載の発明によれば、厨芥を加熱する加熱手段と、前記加熱手段を制御する加熱制御手段と、厨芥を攪拌する撹拌手段と、前記攪拌手段を制御する攪拌制御手段と、厨芥を乾燥する乾燥ファンと、前記乾燥ファンの運転を制御する乾燥ファン制御手段と、本体内部を冷却する冷却ファンと、前記冷却ファンの運転を制御する冷却ファン制御手段と、通常運転と静音運転の厨芥処理モードを切換える切り換え手段と、前記切り換え手段からの入力により各制御手段の制御時間を決定する時間決定手段を有し、前記切り換え手段から静音運転モードの情報が出力された場合、前記撹拌制御手段と前記乾燥ファン制御手段と前記冷却ファン制御手段の内、少なくとも１つを通常運転モードにおける制御より低レベルで制御するとともに前記時間決定手段による制御時間を通常運転モードより長く設定する構成により、前記切り換え手段により低騒音での運転モードを選択すると、前記攪拌制御手段、前記乾燥ファン制御手段、前記冷却ファン制御手段は、前記攪拌手段、前記乾燥ファン、前記冷却ファンの各々の動作を少なくして低騒音となるよう動作し、時間決定手段では比較的長めの運転時間が設定され、設定された時間の処理動作を行うことにより、低騒音でしっかり生ゴミを処理することができる。
【００１１】
本発明の請求項３記載の発明によれば、請求項１または２記載の発明に加え、時計機能を有する時計手段と、指定した処理モードでの動作の時間帯を設定する時間設定手段を有し、通常運転モードと静音運転モードとを時間帯により区分して切り換える構成により、前記撹拌制御手段、前記加熱制御手段、前記乾燥ファン制御手段、前記冷却ファン制御手段は、前記時計手段からの入力にて、常に現在の時刻を認識し、また、時間設定手段にて設定された時間帯を入力しており、設定された時間帯にて処理動作を行う時には、各負荷を低騒音となるように制御するので、所望の時間帯で低騒音での処理を行うことができる。
【００１２】
本発明の請求項４記載の発明によれば、請求項１または２記載の発明に加え、光を検知する光検知手段を有し、光の有無により処理モードを切り換える構成により、前記光検知手段からの入力により、本体の周囲が明るい時と暗い時を判別して、昼と夜、照明の有無により各負荷の処理動作のパターンの１つである低騒音での処理動作を自動で設定できる。
【００１３】
【実施例】
（実施例１）
以下本発明の第１の実施例を図１、図２を用いて説明する。
【００１４】
図１において、１１は加熱手段でありヒータにて構成され、１２は回転することにより生ゴミを撹拌する撹拌手段であり、１３は加熱手段１１にて加熱された空気を生ゴミへ送って生ゴミを乾燥させる乾燥ファンであり、１４は本体（図示せず）内の冷却と生ゴミより発生した水蒸気を冷却して液体へと戻すための冷却ファンであり、１６は切り換え手段であり、１７、１８、１９、２０は各々切り換え手段１６からの入力により、加熱手段１１、撹拌手段１２、乾燥ファン１３、冷却ファン１４の動作を制御する加熱制御手段、攪拌制御手段、乾燥ファン制御手段冷却ファン制御手段である。
【００１５】
上記構成による作用は以下の通りである。
【００１６】
より早く乾燥させることを目的に、切り換え手段１６にて通常運転モードが選択されると、加熱手段１１の温度制御に関しては、加熱制御手段１７が目標温度（通常運転モードであれば１３０℃）を保つように温度調節制御を行っており、撹拌手段１２の動作制御に関しては、攪拌制御手段１８がある時間間隔をおいて、停止と回転を繰り返すよう制御している。乾燥ファン１３と冷却ファン１４については、設定した回転数にて常時回転するよう乾燥ファン制御手段１９、冷却ファン２０が各々を制御している。
【００１７】
加熱制御手段１７、攪拌制御手段１８、乾燥ファン制御手段１９、冷却ファン制御手段２０においては、図２に示すような２つの処理動作パターン、通常運転モードと静音運転モードを有しており、各モードでの、加熱手段１１、撹拌手段１２、乾燥ファン１３、冷却ファン１４各々の動作が図２に示すような動作となるよう制御を行う。
【００１８】
図２において、通常運転モード時の各負荷の動作が生ゴミの焦げ付きや、飛び散りもなく、最も効率よく処理できる組み合わせであるとしたとき、静音運転モードでは、撹拌手段１２の回転周期を長くして、回転時間を短くし、乾燥ファン１３の回転数を低く動作させるように制御することにより動作音の発生をおさえ、これにより、生ゴミに吹き付けられる温風の勢いと、生ゴミの撹拌の効率が落ちることを補うために、加熱手段の温度を上げてやり、処理終了時の生ゴミの乾燥具合が、通常運転モード時に劣らないような動作の組み合わせとしている。
【００１９】
本実施例において、冷却ファン１４に関しては、静音運転モードでは、加熱手段の温度が高くなっており、冷却効率を通常運転モードより落とさないために冷却ファン１４の回転数は一定としている。
【００２０】
今、切り換え手段１６にて、静音運転モードが設定されたとすると、加熱制御手段１７、攪拌制御手段１８、乾燥ファン制御手段１９、冷却ファン制御手段２０は、その情報を入力して、図２の静音運転モードに示すような動作となるよう、加熱手段１１、撹拌手段１２、乾燥ファン１３、冷却ファン１４の動作を制御して、低騒音での処理動作を行い、切り換え手段１６にて、通常運転モードが設定されると、同様に効率良く早く乾燥処理を行う組み合わせで処理動作を行う。
【００２１】
（実施例２）
次に、本発明の第２の実施例を図３、図４を用いて説明する。
【００２２】
図３において、３１は加熱手段であり、３２は撹拌手段であり、３３は乾燥ファンであり、３４は冷却ファンであり、３６は切り換え手段である。
【００２３】
３７は時間をカウントするタイマ手段であり、３８、３９、４０、４１は切り換え手段３６とタイマ手段３７からの入力により、加熱手段３１、撹拌手段３２、乾燥ファン３３、冷却ファン３４の各々の動作と動作時間を制御する加熱制御手段、攪拌制御手段、乾燥ファン制御手段、冷却ファン制御手段である。
【００２４】
上記構成による作用は以下の通りである。
【００２５】
加熱制御手段３８、攪拌制御手段３９、乾燥ファン制御手段４０、冷却ファン制御手段４１は、切り換え手段３６の有するモードに対して、図４に示すような２つの処理動作パターン、より早く乾燥させることを目的とする通常運転モードと低騒音で運転を行う静音運転モードを有しており、各モードでの、加熱手段３１、撹拌手段３２、乾燥ファン３３、冷却ファン３４各々の動作と動作時間が図４に示すような動作となるよう制御を行う。
【００２６】
図４において、通常運転モード時の各負荷の動作と動作時間が生ゴミの焦げ付きや、飛び散りもなく、最も効率よく処理できる組み合わせであるとしたとき、静音運転モードでは、撹拌手段３２の回転周期を長くして、回転時間を短くし、乾燥ファン３３、冷却ファン３４の回転数を低く動作させるように制御し、モーターで駆動される負荷の動作は全ておさえることにより動作音の発生をおさえている。
【００２７】
加熱手段（ヒータ）３１に関しては、制御温度が低い方が耐久性が良いという特性から、制御温度を高くせずに一定としている。
【００２８】
処理動作終了時の処理具合を通常運転モードに対して劣らないようにするために、加熱手段３１、撹拌手段３２、乾燥ファン３３、冷却ファン３４の動作時間を通常運転モードでの運転時間に対して長くして、生ゴミが通常運転モードと同レベルまで乾燥されるように設定している。
【００２９】
今、切り換え手段３６にて、静音運転モードが設定されたとすると、加熱制御手段３８、攪拌制御手段３９、乾燥ファン制御手段４０、冷却ファン制御手段４１は、その情報を入力して、図４の静音運転モードの動作の組み合わせとなるよう、加熱手段３１、撹拌手段３２、乾燥ファン３３、冷却ファン３４の各々の動作と動作時間を設定し、動作開始時にタイマ手段にタイマカウント開始の指示を出力し、低騒音での処理動作を行って、タイマ手段３７から入力されるタイマカウント値が設定時間になるまで、加熱手段３１、撹拌手段３２、乾燥ファン３３、冷却ファン３４を動作させる。切り換え手段３６にて、通常運転モードが設定されると、同様に効率良く早く乾燥処理を行う動作と動作時間の組み合わせで処理を行う。
【００３０】
（実施例３）
また、本発明の第３の実施例を図５を用いて説明する。
【００３１】
図５において、５１は加熱手段であり、５２は撹拌手段であり、５３は乾燥ファンであり、５４は冷却ファンであり、５８、５９、６０、５５は加熱手段５１、撹拌手段５２、乾燥ファン５３、冷却ファン５４の各々の動作を制御する加熱制御手段、攪拌制御手段、乾燥ファン制御手段、冷却ファン制御手段である。
【００３２】
５６は時計機能を有する時計手段であり、５７は時間範囲を設定する時間設定手段である。
【００３３】
上記構成による作用は以下の通りである。
【００３４】
時計手段５６は２４時間、時刻を計時しており、時刻の情報を各制御手段に出力し、各制御手段は常に現在の時刻を認識している。また、加熱制御手段５８、攪拌制御手段５９、乾燥ファン制御手段６０、冷却ファン制御手段５５においては第１の実施例に示すような低騒音での運転を目的とした静音運転モードと早く乾燥処理を行うことを目的とした通常運転モードで加熱手段５１、撹拌手段５２、乾燥ファン５３、冷却ファン５４各々の動作を制御するパターンを有している。
【００３５】
時間設定手段５７は静音運転モードで処理動作を行う時間帯を、何時から何時までというように範囲で設定するようになっており、今、ＰＭ１０：００〜ＡＭ８：００という設定をおこなうと、時間設定手段５７は加熱制御手段５８、攪拌制御手段５９、乾燥ファン制御手段６０、冷却ファン制御手段５５にこの時間帯の情報を出力し、加熱制御手段５８、攪拌制御手段５９、乾燥ファン制御手段６０、冷却ファン制御手段５５の各々においては、時計手段５６からの入力により現在の時刻を認識しているので、ＰＭ１０：００〜ＡＭ８：００では静音運転モードで、それ以外の時間帯での処理動作は通常運転モードで、加熱手段５１、撹拌手段５２、乾燥ファン５３、冷却ファン５４の各々の動作の制御を行う。
【００３６】
以上のように本実施例においては、設定した時間帯に低騒音での処理動作を行うことができる。
【００３７】
（実施例４）
また、本発明の第４の実施例を、図６を用いて説明する。
【００３８】
図６において、６１は加熱手段であり、６２は撹拌手段であり、６３は乾燥ファンであり、６４は冷却ファンであり、６８、６９、７０、７１は加熱手段６１、撹拌手段６２、乾燥ファン６３、冷却ファン６４の各々の動作を制御する加熱制御手段、攪拌制御手段、乾燥ファン制御手段、冷却ファン制御手段である。６６は本体（図示せず）外部に設けた本体周辺の明るさを検知する光検知手段である。
【００３９】
上記構成による作用は以下の通りである。
【００４０】
加熱制御手段６８、攪拌制御手段６９、乾燥ファン制御手段７０、冷却ファン制御手段７１においては第１の実施例に示すような低騒音での運転を目的とした静音運転モードと早く乾燥させることを目的とした通常運転モードで加熱手段６１、撹拌手段６２、乾燥ファン６３、冷却ファン６４各々の動作を制御するパターンを有している。
【００４１】
光検知手段６６は、本体の周辺が明るければ光を検知しているという情報を、本体の周辺が暗ければ、光を検知していないという情報を加熱制御手段６８、攪拌制御手段６９、乾燥ファン制御手段７０、冷却ファン制御手段７１に出力する。
【００４２】
今、本実施例における厨芥処理機が屋外設置タイプであるとき、加熱制御手段６８、攪拌制御手段６９、乾燥ファン制御手段７０、冷却ファン制御手段７１の各々は、光検知手段６６からの情報を入力して、本体の周辺が明るければ現在は昼、暗ければ現在は夜という判断をして、昼であれば通常運転モードにて、夜であれば静音運転モードにて処理動作を行うよう加熱手段６１、撹拌手段６２、乾燥ファン６３、冷却ファン６４各々の動作を制御する。
【００４３】
以上により、昼と夜を自動判別して、静音運転と通常運転を切り換えることができる。
【００４４】
また、厨芥処理機が屋内設置タイプであれば、加熱制御手段６８、攪拌制御手段６９、乾燥ファン制御手段７０、冷却ファン制御手段７１の各々を、光検知手段６６にて屋内の照明の有無を検知して、照明がないときは屋内に人がいないと判断して通常運転モードで、照明があるときは屋内に人がいると判断して静音運転モードで加熱手段６１、撹拌手段６２、乾燥ファン６３、冷却ファン６４各々の動作を制御するように設けることもできる。
【００４５】
【発明の効果】
本発明の請求項１記載の発明によれば、低騒音で生ゴミの処理を行うことができる。
【００４６】
本発明の請求項２記載の発明によれば、低騒音で、確実に生ゴミの乾燥処理を行うことができる。
【００４７】
本発明の請求項３記載の発明によれば、所望の時間帯で低騒音での処理動作を行うことができる。
【００４８】
本発明の請求項４記載の発明によれば、自動で昼と夜を判別して、低騒音での処理と、高効率の処理を切り換えることができる。
【図面の簡単な説明】
【図１】本発明の第１の実施例を示す厨芥処理機の制御のブロック図
【図２】同厨芥処理機の各負荷の動作の組み合わせを示す図
【図３】本発明の第２の実施例を示す厨芥処理機の制御のブロック図
【図４】同厨芥処理機の各負荷の動作の組み合わせを示す図
【図５】本発明の第３の実施例を示す厨芥処理機の制御のブロック図
【図６】本発明の第４の実施例を示す厨芥処理機の制御のブロック図
【図７】従来の厨芥処理機の概略構成断面図
【符号の説明】
１  本体
２  収納容器
３  加熱手段（ヒータ）
４  乾燥ファン
５  撹拌手段
６  冷却ファン
７  排水タンク
１１、３１、５１、６１  加熱手段
１２、３２、５２、６２  撹拌手段
１３、３３、５３、６３  乾燥ファン
１４、３４、５４、６４  冷却ファン
１７、３８、５８、６８  加熱制御手段
１８、３９、５９、６９  攪拌制御手段
１９、４０、６０、７０  乾燥ファン制御手段
２０、４１、５５、７１  冷却ファン制御手段
１６、３６  切り換え手段
３７  タイマ手段
５６  時計手段
５７  時間設定手段
６６  光検知手段